(57)【要約】【課題】距離の影響による異物の検出精度の低下が少ない磁気センサ１を提供し、カードリーダにおける不正行為の防止効果を高めること。【解決手段】磁気センサ１は、第１コア体３０に検出コイル４０を巻いた検出部１０と、第２コア体５０に励磁コイル６０を巻いた励磁部２０がカード搬送路１４０を挟んで配置される。励磁部２０は、第２コア体５０を通る磁束が第３端面５１０と第４端面５２０の一方から外部へ出て他方へ戻るループ状の経路を通り、カード挿入口１３０の側へ磁束を飛ばすように構成されている。検出部１０は、励磁部２０の側を向く第１端面３１０と第２端面３２０を備える。カード挿入口１３０の周りに金属を含む異物２００が取り付けられると、励磁部２０から異物２００に入った磁束が第１コア体３０の第１端面３１０と第２端面３２０の一方に入りやすいため、検出精度が向上する。【選択図】図２
2019060698.tif 000002
【特許請求の範囲】
【請求項１】
第１端面と第２端面を備えた第１コア体、および、前記第１コア体に巻き回される検出コイルを備えた検出部と、
第３端面と第４端面を備えた第２コア体、および、前記第２コア体に巻き回される励磁コイルを備えた励磁部とを有し、
前記励磁部は、前記励磁コイルが磁界を発生させたときに前記第２コア体を通る磁束が、前記第３端面と前記第４端面の一方から外部へ出て他方へ戻るループ状の経路を通るように構成され、
前記検出部は、前記第３端面と前記第４端面の一方から前記第２コア体の外部へ出た磁束が被検出体へ向かった場合に、前記被検出体へ向かった磁束の少なくとも一部が、前記第１端面と前記第２端面の一方から前記第１コア体に入り、他方から前記第１コア体の外部へ出るように構成されていることを特徴とする磁気センサ。
【請求項２】
前記第２コア体は、コア本体と、前記コア本体から突出する第３コア端部と、前記コア本体に対して前記第３コア端部が位置する側に突出する第４コア端部を備え、
前記第３コア端部の先端に前記第３端面が形成され、
前記第４コア端部の先端に前記第４端面が形成されていることを特徴とする請求項１に記載の磁気センサ。
【請求項３】
前記第３端面と前記第４端面は同一方向を向いていることを特徴とする請求項２に記載の磁気センサ。
【請求項４】
前記検出部と前記励磁部は、第１方向で離間しており、
前記第３端面と前記第４端面、および前記第１端面と前記第２端面は、いずれも前記第１方向と交差する第２方向で離間することを特徴とする請求項２または３に記載の磁気センサ。
【請求項５】
前記第１端面と前記第２端面は、前記第１方向で前記励磁部が位置する側を向いていることを特徴とする請求項４に記載の磁気センサ。
【請求項６】
前記第３端面と前記第４端面は、前記第１方向および前記第２方向と交差する第３方向を向いていることを特徴とする請求項４または５に記載の磁気センサ。
【請求項７】
前記第１端面は、前記第２方向で前記第３端面と同一位置に配置され、
前記第２端面は、前記第２方向で前記第４端面と同一位置に配置されることを特徴とする請求項４から６の何れか一項に記載の磁気センサ。
【請求項８】
前記第２コア体は、前記第３端面を含む複数の端面と、前記第４端面を含む複数の端面を備え、前記第３端面を含む複数の端面は、それぞれ、前記第４端面を含む複数の端面のうちの１つと対になっており、前記対になる２つの端面は、一方から出る磁束が他方に入るように構成され、
前記第１端面は、前記第３端面を含む複数の端面が配置される範囲の中央に位置し、
前記第２端面は、前記第４端面を含む複数の端面が配置される範囲の中央に位置することを特徴とする請求項１から７の何れか一項に記載の磁気センサ。
【請求項９】
前記励磁コイルとして、前記第３端面を含む複数の端面、および、前記第４端面を含む複数の端面のそれぞれに対応する複数の励磁コイルを備え、
前記複数の励磁コイルは、それぞれ、対応する端面を通る磁束を発生させることを特徴とする請求項８に記載の磁気センサ。
【請求項１０】
前記第１コア体は、前記第１端面および前記第２端面に加えて、前記第１端面と同一方向を向く第５端面を備え、
前記検出コイルとして、前記第１端面が形成されたコア端部に巻かれる第１検出コイルと、前記第５端面が形成されたコア端部に巻かれる第２検出コイルと、を備えることを特徴とする請求項１から９の何れか一項に記載の磁気センサ。
【請求項１１】
請求項１から１０の何れか一項に記載の磁気センサと、
カードを挿入可能なカード挿入口と、
前記カード挿入口に接続されるカード搬送路と、を有し、
前記検出部は、前記カード搬送路に対して前記カードの厚さ方向の一方側に配置され、
前記励磁部は、前記カード搬送路に対して前記カードの厚さ方向の他方側に配置されることを特徴とするカードリーダ。
【請求項１２】
前記第２コア体は、前記カード搬送路と平行に配置されることを特徴とする請求項１１に記載のカードリーダ。
【請求項１３】
前記第１コア体は、前記カード搬送路に対して前記カードの厚さ方向の一方側において、前記第１端面および前記第２端面を前記カード挿入口の側に向けて、前記カード挿入口の側に向かうに従って前記カード搬送路に対して近づく方向に傾斜して配置され、
前記第２コア体は、前記カード搬送路に対して前記カードの厚さ方向の他方側において、前記第３端面および前記第４端面を前記カード挿入口の側に向けて、前記カード挿入口の側に向かうに従って前記カード搬送路に対して前記第１コア体とは逆方向から近づく方向に傾斜して配置されることを特徴とする請求項１１に記載のカードリーダ。
【請求項１４】
前記励磁コイルは、前記被検出体を検出するための検出用磁界を発生させる検出モード、および、前記カードから不正に磁気情報が読み取られることを妨害する妨害磁界を発生させる妨害磁界発生モードの２種類のモードで選択的に通電されることを特徴とする請求項１１から１３の何れか一項に記載のカードリーダ。
【発明の詳細な説明】
【技術分野】
【０００１】
本発明は、励磁コイルによる磁界の変化を検出コイルにより検出する磁気センサ、および、磁気カードから磁気情報の読み取りや書き込みを行うカードリーダに関する。
【背景技術】
【０００２】
磁気情報が記録された磁気カードを取り込み、カード搬送路に配置された磁気ヘッドによって磁気情報の読取りあるいは書込みを行うカードリーダに対しては、カード挿入口の周囲に磁気ヘッド（スキミングヘッド）を取り付けて不正に磁気情報を取得する不正行為が行われることがある。このような不正行為への対策として、カード挿入口の周囲に金属材料を含む異物が取り付けられたことを検出するセンサを備えたカードリーダが提案されている。特許文献１には、この種のカードリーダが開示されている。
【０００３】
特許文献１のカードリーダは、カード挿入口の前面側に金属センサを備えている。金属センサは、コア体の中央に巻かれた一対の励磁コイルと、コア体の一端および他端に巻かれた一対の検出コイルを備えた磁気差動型の金属センサである。スキミングヘッドなどの異物が取り付けられると、金属センサの出力の変動に基づいて異常が検知される。特許文献１では、金属センサの出力に基づき異常を検知すると、カード通過路を閉鎖してカードの挿入を阻止し、スキミングが行われることを阻止する。また、特許文献１には、金属センサが異常を検知した場合に、金属センサの励磁コイルから磁気情報の不正な読み取りを妨害するための妨害磁界を発生させることが記載されている。
【先行技術文献】
【特許文献】
【０００４】
【特許文献１】国際公開第２０１１／０９３３４０号
【発明の概要】
【発明が解決しようとする課題】
【０００５】
特許文献１の金属センサは、励磁コイルと検出コイルが同一軸線周りに巻かれており、励磁コイルは、検出コイルが巻かれたコア端部から漏れ磁束が放射状に拡がる磁界を発生させる。しかしながら、このような形態の金属センサでは、検出コイルが巻かれたコア端部の先端側の検知可能領域において、励磁コイルが発生させる磁界の強さは、コア端部からの距離の２乗に反比例して低下する。従って、コア端部に近い位置では検出精度を確保できるが、コア端部からの距離が遠くなると微弱な磁界の変化を検出しなければならないため、検出精度が低下する。すなわち、特許文献１の磁気センサは、検出精度に対する磁気センサからの距離の影響（いわゆる、Ｇａｐ特性）が大きく、離れた位置で検出精度を確保することは難しい。
【０００６】
以上の問題に鑑みて、本発明の課題は、距離の影響による検出精度の低下が少ない磁気センサおよびカードリーダを提供することにある。
【課題を解決するための手段】
【０００７】
上記課題を解決するために、本発明の磁気センサは、第１端面と第２端面を備えた第１コア体、および、前記第１コア体に巻き回される検出コイルを備えた検出部と、第３端面と第４端面を備えた第２コア体、および、前記第２コア体に巻き回される励磁コイルを備えた励磁部とを有し、前記励磁部は、前記励磁コイルが磁界を発生させたときに前記第２コア体を通る磁束が、前記第３端面と前記第４端面の一方から外部へ出て他方へ戻るループ状の経路を通るように構成され、前記検出部は、前記第３端面と前記第４端面の一方か
ら前記第２コア体の外部へ出た磁束が被検出体へ向かった場合に、前記被検出体へ向かった磁束の少なくとも一部が、前記第１端面と前記第２端面の一方から前記第１コア体に入り、他方から前記第１コア体の外部へ出るように構成されていることを特徴とする。
【０００８】
本発明では、励磁部が磁界を発生させたとき、第２コア体を通る磁束は、第２コア体の第３端面と第４端面の一方から外部へ出て他方へ戻るループ状の経路を通るように構成されている。そして、この磁束が被検出体へ向かうように磁界が変化した場合に、被検出体へ向かった磁束の少なくとも一部が第１コア体の第１端面もしくは第２端面に入るように、第１コア体が構成されている。このようにすると、励磁部では、磁束をループ状の経路に集中させることができ、第２コア体を通って外部へ出る磁束を第３端面と第４端面の間に集中させることができる。従って、磁束が集中する側においては、励磁部からの距離の影響で被検出体へ向かう磁束が減少することを抑制できる。そして、検出部は、被検出体へ向かった磁束が第１コア体に入るように構成されているため、第１コア体に入る磁束の減少を抑制できる。従って、金属を含む被検出体を検出コイルの出力に基づいて検出する場合に、励磁部と被検出体との距離の影響による検出精度の低下を抑制できる。
【０００９】
本発明において、前記第２コア体は、コア本体と、前記コア本体から突出する第３コア端部と、前記コア本体に対して前記第３コア端部が位置する側に突出する第４コア端部を備え、前記第３コア端部の先端に前記第３端面が形成され、前記第４コア端部の先端に前記第４端面が形成されている。このような構成により、第２コア体は、第４端面から第４コア端部を通ってコア本体側に向かい、コア本体を通って第３コア端部へ入り、第３端面の側に戻る磁路を形成する。また、第３端面と第４端面は、コア本体に対して同じ側に配置されているので、第３端面から出た磁束が第４端面に戻りやすい配置となっている。例えば、前記第３端面と前記第４端面が同一方向を向いていれば、第３端面から出た磁束が第４端面に戻りやすい。従って、第２コア体を通り、第３端面から出て第４端面に戻るループ状の経路を磁束が通るように構成することができる。
【００１０】
本発明において、前記検出部と前記励磁部は、第１方向で離間しており、前記第３端面と前記第４端面、および前記第１端面と前記第２端面は、いずれも前記第１方向と交差する第２方向で離間することが好ましい。このようにすると、第２コア体の第３端面と第４端面の一方から出た磁束の一部が被検出体に向かうとき、その磁束が第１端面と第２端面の一方から第１コア体に入って他方から第２コア体に戻りやすくなるように構成できる。従って、検出精度を高めることができる。
【００１１】
この場合に、前記第１端面と前記第２端面は、前記第１方向で前記励磁部が位置する側を向いていることが好ましい。このようにすると、励磁部から発生する磁束が被検出体に向かうように磁界が変化した場合に、第１端面に磁束が入りやすく、第２端面から第４端面に戻りやすい。従って、検出精度を高めることができる。
【００１２】
また、前記第３端面と前記第４端面は、前記第１方向および前記第２方向と交差する第３方向を向いている構成を採用することができる。このようにすると、検出部とは異なる側（第３方向）に磁束を集中させることができるので、検出部とは異なる側に位置する被検出体を精度良く検出することができる。
【００１３】
本発明において、前記第１端面は、前記第２方向で前記第３端面と同一位置に配置され、前記第２端面は、前記第２方向で前記第４端面と同一位置に配置されることが好ましい。このようにすると、第３端面から出た磁束が被検出体に向かうように磁界が変化した場合に、第１端面に磁束が入りやすい。従って、検出精度を高めることができる。
【００１４】
本発明において、前記第１コア体は、前記第１端面および前記第２端面に加えて、前記
第１端面と同一方向を向く第５端面を備え、前記検出コイルとして、前記第１端面が形成されたコア端部に巻かれる第１検出コイルと、前記第５端面が形成されたコア端部に巻かれる第２検出コイルと、を備える構成を採用することができる。このようにすると、第１検出コイルと第２検出コイルの差動出力を得ることができるので、検出精度を向上させることができる。
【００１５】
本発明において、前記第２コア体は、前記第３端面を含む複数の端面と、前記第４端面を含む複数の端面を備え、前記第３端面を含む複数の端面は、それぞれ、前記第４端面を含む複数の端面のうちの１つと対になっており、前記対になる２つの端面は、一方から出る磁束が他方に入るように構成され、前記第１端面は、前記第３端面を含む複数の端面が配置される範囲の中央に位置し、前記第２端面は、前記第４端面を含む複数の端面が配置される範囲の中央に位置することが好ましい。このようにすると、複数の端面から出る磁束がそれぞれループ状の経路を通って別の端面に入るような磁界を発生させることができる。そして、磁束が出る端面が配置される範囲の中央、および、磁束が入る端面が配置される範囲の中央は、合成磁界の強さが強い位置である。従って、この位置に第１端面および第２端面を配置することにより、検出部に入る磁束を増やすことができる。よって、検出精度を高めることができる。
【００１６】
この場合に、前記励磁コイルとして、前記第３端面を含む複数の端面、および、前記第４端面を含む複数の端面のそれぞれに対応する複数の励磁コイルを備え、前記複数の励磁コイルは、それぞれ、対応する端面を通る磁束を発生させることが好ましい。このようにすると、複数の励磁コイルに同時に通電することにより、多くの磁束を出すことができ、検出部に入る磁束を増やすことができる。また、複数の端面から異なる変動パターンの磁束を出すこともできるので、励磁部を妨害磁界発生手段としてとして効果的に機能させることができる。
【００１７】
次に、本発明のカードリーダは、上記の磁気センサと、カードを挿入可能なカード挿入口と、前記カード挿入口に接続されるカード搬送路と、を有し、前記検出部は、前記カード搬送路に対して前記カードの厚さ方向の一方側に配置され、前記励磁部は、前記カード搬送路に対して前記カードの厚さ方向の他方側に配置されることを特徴とする。
【００１８】
本発明のカードリーダによれば、カード挿入口の周りにスキミングヘッドなどの金属を含む異物が取り付けられた場合に、異物を磁気センサによって精度良く検出することができる。また、検出精度に対する距離の影響が小さいため、従来より広い範囲で、精度良く異物を検出することができる。従って、異物の検出に基づいて適切な制御を行うことができる。例えば、異物が検出された場合にはカードの取り込みを不能にすることにより、不正に磁気情報が読み取られることを回避することができる。また、異物が検出されたことを警告するための各種の制御を行うことができる。
【００１９】
本発明において、前記第２コア体は、前記カード搬送路と平行に配置されていることが好ましい。このようにすると、第２コア体の配置スペースを小さくすることができ、励磁部の配置スペースを小さくすることができる。従って、カードリーダの大型化を抑制できる。
【００２０】
本発明において、前記第１コア体は、前記カード搬送路に対して前記カードの厚さ方向の一方側において、前記第１端面および前記第２端面を前記カード挿入口の側に向けて、前記カード挿入口の側に向かうに従って前記カード搬送路に対して近づく方向に傾斜して配置され、前記第２コア体は、前記カード搬送路に対して前記カードの厚さ方向の他方側において、前記第３端面および前記第４端面を前記カード挿入口の側に向けて、前記カード挿入口の側に向かうに従って前記カード搬送路に対して前記第１コア体とは逆方向から
近づく方向に傾斜して配置されることが好ましい。このようにすると、励磁部から出る磁束をカード挿入口の正面に向けることができる。従って、カード搬送路を挟んで励磁部と検出部を配置した構成であっても、カード挿入口の周りにスキミングヘッドなどの異物が取り付けられた場合に精度良く検出することができる。
【００２１】
本発明において、前記励磁コイルは、前記被検出体を検出するための検出用磁界を発生させる検出モード、および、前記カードから不正に磁気情報が読み取られることを妨害する妨害磁界を発生させる妨害磁界発生モードの２種類のモードで選択的に通電されるように構成することができる。このようにすると、磁気センサと妨害磁界発生手段とを１つのコイルで兼用できるため、それぞれ別のコイルを設ける必要がない。従って、カードリーダの大型化を抑制できる。また、スキミングヘッドなどの異物の検出によって不正行為を抑制する以外に、妨害磁界によっても不正行為を抑制できるため、不正行為を効果的に抑制できる。また、上記のように、励磁部から出る磁界がカード挿入口の周りに向かうような配置を採用した場合には、妨害磁界を効果的に作用させることができる。
【発明の効果】
【００２２】
本発明によれば、励磁部が磁界を発生させたとき、第２コア体を通る磁束は、第２コア体の第３端面と第４端面の一方から外部へ出て他方へ戻るループ状の経路を通るように構成されている。そして、この磁束が被検出体へ向かうように磁界が変化した場合に、被検出体へ向かった磁束の少なくとも一部が第１コア体の第１端面もしくは第２端面に入るように、第１コア体が構成されている。このようにすると、励磁部では、磁束をループ状の経路に集中させることができ、第２コア体を通って外部へ出る磁束を第３端面と第４端面の間に集中させることができる。従って、磁束が集中する側においては、励磁部からの距離の影響で被検出体へ向かう磁束が減少することを抑制できる。そして、検出部は、被検出体へ向かった磁束が第１コア体に入るように構成されているため、第１コア体に入る磁束の減少を抑制できる。従って、金属を含む被検出体を検出コイルの出力に基づいて検出する場合に、励磁部と被検出体との距離の影響による検出精度の低下を抑制できる。
【図面の簡単な説明】
【００２３】
【図１】本発明を適用した実施形態１のカードリーダの断面構成および平面構成を示す説明図である。
【図２】本発明を適用した実施形態１の磁気センサの説明図である。
【図３】実施形態１の磁気センサにおける励磁部の平面図および励磁部と検出部の正面図である。
【図４】検出回路のブロック図および検出回路による信号処理の説明図である。
【図５】変形例の磁気センサにおける励磁部と検出部の正面図および側面図である。
【図６】実施形態２の磁気センサにおける励磁部と検出部の正面図である。
【図７】実施形態３の磁気センサにおける励磁部の平面図および励磁部と検出部の正面図である。
【図８】実施形態４の磁気センサを備えたカードリーダの断面構成を示す説明図である。
【発明を実施するための形態】
【００２４】
以下、図面を参照しながら、本発明を適用した磁気センサおよびカードリーダの実施形態を説明する。
【００２５】
［実施形態１］
（カードリーダ）
図１（ａ）は本発明を適用した実施形態１のカードリーダ１００の断面構成を示す説明図であり、図１（ｂ）は平面構成を示す説明図である。カードリーダ１００は、カード２
に記録されたデータの読取りおよびカード２へのデータの書込みの少なくとも一方を行う装置であり、所定の上位装置に搭載されて使用される。カード２は、例えば、厚さが０．７〜０．８ｍｍ程度の塩化ビニール製のカードである。カード２の一方の面には、磁気データが記録される磁気ストライプ２ａが形成されている。磁気ストライプ２ａは、略長方形のカード２の長手方向に沿って形成されている。なお、カード２の材質は塩化ビニール製でなくてもよい。また、カード２には、ＩＣチップが内蔵されていても良い。
【００２６】
図１（ａ）、図１（ｂ）に示すように、カードリーダ１００は、カードリーダ本体１１０と、カードリーダ本体１１０の前端に設けられるカード挿入部１２０を備える。カード挿入部１２０の前面には、カード挿入口１３０が形成されている。カード挿入部１２０およびカードリーダ本体１１０の内部には、カード挿入口１３０と繋がるカード搬送路１４０が形成されている。カード搬送路１４０には、カード挿入部１２０とカードリーダ本体１１０の間にカード搬送路１４０を開閉するシャッター１５０が設けられている。シャッター１５０は、図示しないシャッター駆動機構によって開閉される。
【００２７】
カードリーダ本体１１０は、カード搬送路１４０に沿ってカード２を搬送するカード搬送機構１６０を備える。カード搬送機構１６０は、駆動ローラ１６１と、駆動ローラ１６１と対向するパッドローラ１６２と、駆動源であるモータ（図示省略）と、モータの回転を駆動ローラ１６１に伝達する駆動力伝達機構（図示省略）を備える。また、カードリーダ本体１１０は、カード搬送路１４０の所定位置で、カード２の磁気ストライプから磁気データの読取りおよび書込みの少なくとも一方を行う磁気ヘッド１７０を備える。
【００２８】
本明細書において、ＸＹＺの３方向は互いに直交する方向である。第１方向Ｚは、カード搬送路１４０におけるカード２の厚さ方向であり、第１方向Ｚの一方側をＺ１、他方側をＺ２とする。また、第２方向Ｙはカード搬送路１４０におけるカード２の幅方向である。カード挿入口１３０は、カード挿入部１２０の前面において第２方向Ｙに延在するスリット状に形成されている。第２方向Ｙの一方側をＹ１、他方側をＹ２とする。カード２は、磁気ストライプ２ａが形成された面を第１方向Ｚの一方側Ｚ１に向けてカード搬送路１４０に挿入される。磁気ヘッド１７０は、カード搬送路１４０の第１方向Ｚの一方側Ｚ１に配置され、第２方向Ｙでカード２の磁気ストライプ２ａと同一位置に配置される。また、第３方向Ｘはカード搬送路１４０が延在する方向であり、第３方向Ｘの一方側をＸ１、他方側をＸ２とする。Ｘ１方向はカード挿入口１３０が設けられた側であり、Ｘ２方向はカード搬送路１４０の奥側である。
【００２９】
カード挿入部１２０は、シャッター１５０に対してカード挿入口１３０の側（第３方向Ｘの一方側Ｘ１）に配置されるプリヘッド１８０および磁気センサ１を備える。プリヘッド１８０は、カード２が磁気ストライプ２ａを備えている場合に、磁気ストライプ２ａに記録される磁気データを検出する。また、磁気センサ１は、検知可能領域に金属を含む異物が取り付けられていることを検出する。本形態では、磁気センサ１の検知可能領域は、磁気センサ１に対して第３方向Ｘの一方側Ｘ１の領域となっている。また、カード挿入部１２０には、カード挿入口１３０にカード２が挿入されたことを検知する図示しない挿入検知センサが設けられている。挿入検知センサとしては、接触式のセンサ、あるいは、光学式のセンサが用いられる。
【００３０】
カードリーダ１００の制御部（図示省略）には、磁気センサ１、プリヘッド１８０、および挿入検知センサ（図示省略）を含む各種のセンサの信号が入力される。制御部は、これらのセンサの信号に基づいてカードリーダ１００の各部の制御を行う。カード挿入口１３０へカード２が挿入される前は、シャッター１５０はカード搬送路１４０を閉鎖した状態となっている。カードリーダ１００の制御部は、挿入検知センサおよびプリヘッド１８０の信号に基づいて磁気データが記録されたカード２がカード挿入口１３０に挿入された
と判定した場合には、シャッター駆動機構（図示省略）を制御してシャッター１５０を開けて、カード２をカード搬送路１４０の奥側に取り込むことができるようにする。
【００３１】
図１（ａ）、図１（ｂ）には、カード挿入部１２０に取り付けられたスキミングヘッドなどの異物２００を一点鎖線で図示している。例えば、異物２００は、カード挿入部１２０の前面に取り付けられている。磁気センサ１は、金属を含む異物２００が検出領域に取り付けられると出力が変化する。カードリーダ１００の制御部は、磁気センサ１の出力に基づき、異物２００の存在を検知した場合には、シャッター１５０がカード搬送路１４０を閉鎖した状態を保つようにシャッター駆動機構を制御する。これにより、カード２がカード搬送路１４０へ取り込まれることが阻止される。
【００３２】
（磁気センサ）
図１（ａ）に示したように、磁気センサ１は、カード搬送路１４０の第１方向Ｚの一方側Ｚ１に配置される検出部１０と、カード搬送路１４０の第１方向Ｚの他方側Ｚ２に配置される励磁部２０を備える。なお、検出部１０と励磁部２０の第１方向Ｚの配置を逆にしてもよい。本形態では、検出部１０は、カード搬送路１４０に対してプリヘッド１８０と同じ側に配置され、プリヘッド１８０に対して第３方向Ｘの一方側Ｘ１に配置されている。
【００３３】
図２は、本発明を適用した実施形態１の磁気センサ１の説明図である。検出部１０は、第１コア体３０と、第１コア体３０に巻き回される検出コイル４０を備える。また、検出部１０は、検出コイル４０の出力が入力される検出回路１１を備える。検出回路１１の出力は、カードリーダ１００の制御部に入力される。第１コア体３０は、第２方向Ｙに所定の幅を備えた薄板状部材である。第１コア体３０は、第１端面３１０および第２端面３２０を備える。第１端面３１０および第２端面３２０は、第２方向Ｙに離間して配置されており、励磁部２０が位置する側を向いている。第１端面３１０および第２端面３２０は、カード搬送路１４０を挟んで励磁部２０と対向する。
【００３４】
第１コア体３０は、第１端面３１０が先端に形成された第１コア端部３１と、第２端面３２０が先端に形成された第２コア端部３２と、第１コア端部３１と第２コア端部３２が接続されるコア本体３３を備える。第１コア端部３１と第２コア端部３２は、第２方向Ｙに離間して配置されており、コア本体３３から励磁部２０が位置する側へ突出する。本形態では、第１コア体３０は、カード搬送路１４０に対して垂直に配置されており、第１コア体３０の板厚方向は第３方向Ｘと一致する。第１コア端部３１および第２コア端部３２は、同じ方向に突出している。具体的には、第１コア端部３１および第２コア端部３２は、第１方向Ｚの他方側Ｚ２へ向かって略平行に突出する。コア本体３３は第２方向Ｙに直線状に延びており、第１コア端部３１および第２コア端部３２と略直角に繋がっている。第１コア体３０において、第１端面３１０および第２端面３２０は同じ側を向いている。具体的には、第１端面３１０および第２端面３２０は、いずれも第１方向Ｚに対して垂直な平面であり、第１方向Ｚの他方側Ｚ２を向いている。
【００３５】
検出コイル４０は、第１コア端部３１に巻き回されている。なお、検出コイル４０が巻かれる位置は、第１コア端部３１とは異なる位置でも良い。第１コア体３０は、第１端面３１０と第２端面３２０の一方から入り、他方から出る磁束が通る磁路を形成している。検出コイル４０は、第１コア体３０において、第１端面３１０と第２端面３２０の一方から入った磁束が通る位置（磁路を形成する部分）に巻かれている。
【００３６】
励磁部２０は、第２コア体５０と、第２コア体５０に巻き回される励磁コイル６０を備える。また、励磁部２０は、カードリーダ１００の制御部からの制御命令に従って励磁コイル６０に通電する通電制御部２１を備える。第２コア体５０は、第２方向Ｙに所定の幅
を備えた薄板状部材である。第２コア体５０は、第３端面５１０および第４端面５２０を備える。第３端面５１０および第４端面５２０は、第２方向Ｙに離間して配置されており、カード挿入口１３０の側を向いている。すなわち、カード挿入部１２０の前面において、カード挿入口１３０の周りに異物２００が取り付けられたとき、第３端面５１０および第４端面５２０は、異物２００が位置する側（すなわち、第３方向Ｘの一方側Ｘ１）を向くようになっている。
【００３７】
第２コア体５０は、第３端面５１０が先端に形成された第３コア端部５１と、第４端面５２０が先端に形成された第４コア端部５２と、第３コア端部５１と第４コア端部５２が接続されるコア本体５３を備える。第３コア端部５１と第４コア端部５２は、第２方向Ｙに離間して配置されており、カード挿入口１３０の側へ突出する。本形態では、第２コア体５０は、カード搬送路１４０に対して平行に配置されており、第２コア体５０の板厚方向は第１方向Ｚに対して平行である。第３コア端部５１および第４コア端部５２は、同じ側へ向かって突出している。具体的には、第３方向Ｘの一方側Ｘ１へ向かって略平行に突出する。コア本体５３は第２方向Ｙに直線状に延びており、第３コア端部５１および第４コア端部５２と略直角に繋がっている。第３端面５１０および第４端面５２０は、同じ側を向いている。具体的には、第３端面５１０および第４端面５２０は、いずれも第３方向Ｘに対して垂直な平面である。
【００３８】
第２コア体５０と第１コア体３０は、第１端面３１０に対して第２端面３２０が位置する側が、第３端面５１０に対して第４端面５２０が位置する側と一致するように構成されている。本形態では、第３端面５１０の第２方向の位置が第１端面３１０の第２方向の位置と一致し、且つ、第４端面５２０の第２方向の位置が第２端面３２０の第２方向の位置と一致するように構成されている。
【００３９】
励磁コイル６０は、第１励磁コイル６１と第２励磁コイル６２によって構成される。第１励磁コイル６１は第３コア端部５１に巻かれており、第２励磁コイル６２は第４コア端部５２に巻かれている。第１励磁コイル６１と第２励磁コイル６２は、平行な軸線周りに巻かれており、且つ、巻回方向が逆向きになっている。通電制御部２１は、第１励磁コイル６１と第２励磁コイル６２への通電を同期させて行う。第１励磁コイル６１および第２励磁コイルに通電すると、第１励磁コイル６１および第２励磁コイルから磁界が発生する。励磁部２０が発生させる磁界は、第１励磁コイル６１の磁界と、第２励磁コイルの磁界の合成磁界となる。
【００４０】
（磁気センサによる磁界の変化の検出）
図３（ａ）は、実施形態１の磁気センサ１における励磁部２０の平面図であり、図３（ｂ）は励磁部２０と検出部１０の正面図である。第２コア体５０は、励磁コイル６０に通電して磁界を発生させたとき、第２コア体５０を通る磁束Ｍの経路が、図３（ａ）において一点鎖線で示すようなループ状の経路となるように構成されている。すなわち、第２コア体５０は、第３コア端部５１から略直角に屈曲してコア本体５３へ向かい、コア本体５３から略直角に屈曲して第４コア端部５２へ向かう形状の磁路を形成している。そして、第２コア体５０の外部では、磁束Ｍの経路は、同じ側を向く第３端面５１０および第４端面５２０の一方から出て他方に戻るように構成されている。
【００４１】
本形態では、第３端面５１０および第４端面５２０がいずれも、第２コア体５０に対して第３方向Ｘの一方側を向いている。従って、第２コア体５０の外部に出る磁束Ｍは、第３端面５１０および第４端面５２０の一方を出ると、第２コア体５０に対して第３方向Ｘの一方側Ｘ１を通って他方に入る。つまり、第２コア体５０は、励磁コイル６０に通電した際に第２コア体５０から外部に出る磁束Ｍが、第２コア体５０に対して第３方向Ｘの一方側Ｘ１（すなわち、カード挿入口１３０が位置する側）を通るように構成されている。
【００４２】
図３（ｂ）には、カード挿入口１３０の周りに金属を含む異物２００が取り付けられた場合の磁界の変化を示す。例えば、図１（ａ）に示すように、異物２００がカード挿入部１２０の前端面に取り付けられる場合、磁束Ｍの一部が異物２００の側に向かうように磁界が変化する。検出部１０は、異物２００が配置されたことによる磁界の変化を検出する。
【００４３】
図３（ｂ）の例では、異物２００は、第２方向Ｙで第３端面５１０寄りの位置に配置されている。このような配置では、第３端面５１０から出る磁束Ｍの一部が異物２００の側へ向かいやすい。本形態では、第３端面５１０は、検出部１０の第１端面３１０と第２方向Ｙで同一位置に配置されている。従って、第３端面５１０から出て異物２００へ向かった磁束Ｍ１は異物２００から第１端面３１０へ向かいやすく、第１端面３１０から第１コア体３０に磁束Ｍ１が入りやすい。第１コア体３０に入った磁束Ｍ１は、第１コア端部３１からコア本体３３を経由して第２コア端部３２に向かい、第２端面３２０から出て励磁部２０へ戻る。本形態では、第２端面３２０は、第２方向で励磁部２０の第４端面５２０と同一位置に配置されている。従って、第２端面３２０から出た磁束Ｍ１は、第４端面５２０から第２コア体５０に入りやすい。
【００４４】
図４（ａ）は磁気センサ１の検出回路のブロック図であり、図４（ｂ）は検出回路による信号処理の説明図である。上記のように、検出部１０は、異物２００の有無に応じて検出コイル４０を通る磁束が変化する。検出回路１１は、増幅回路１２、整流回路１３、およびローパスフィルタ１４を備える。検出コイル４０の出力は、第１コア体３０に入る磁束の変動に応じた振幅および周期で変動する。励磁コイル６０に励磁用の電流として交流電流が流れるとき、第１コア体３０に入る磁束Ｍ１は、励磁コイル６０が発生させる磁界の強度および周期に応じた振幅および周期で正弦波状に変動する。従って、検出コイル４０の出力Ｓは、正弦波状に変動する。検出回路１１は、検出コイル４０の出力Ｓを増幅し、増幅信号Ｓ１を全波整流信号Ｓ２に変換し、全波整流信号Ｓ２の振幅に応じた信号レベルの出力信号Ｓ３に変換する処理を行う。
【００４５】
カードリーダ１００は、磁気センサ１の出力信号Ｓ３のレベルに基づき、異物２００の有無を判定する。例えば、検出可能領域に異物２００が取り付けられていないときには、第１コア体３０に入る磁束が少なく、出力信号Ｓ３のレベルが低い。一方、異物２００が取り付けられると、異物２００を経由して第１コア体３０に入る磁束が増加する。その結果、出力信号Ｓ３のレベルが上がる。従って、出力信号Ｓ３のレベルに基づき、異物２００の有無を判定することができる。例えば、出力信号Ｓ３のレベルが所定の閾値を超えた場合に、異物有りと判定する。
【００４６】
（妨害磁界）
磁気センサ１は、励磁コイル６０を妨害磁界発生手段として機能させることができる。すなわち、磁気センサ１は、励磁部２０から異物２００を検出するための検出用磁界を発生させる検出モードと、励磁部２０から妨害磁界を発生させる妨害磁界発生モードの２種類のモードを備える。検出モードでは、通電制御部２１は、励磁コイル６０に検出用の電流を流す。例えば、所定の周期の交流電流を流す。一方、妨害磁界発生モードでは、通電制御部２１は、励磁コイル６０に妨害磁界発生用の電流を流す。例えば、ランダムに変動する磁界を発生させるような電流を流す。妨害磁界発生モードでは、励磁コイル６０から妨害磁界を発生させることができるので、スキミングヘッドが取り付けられたとしても磁気情報の読み取りを阻止することができる。
【００４７】
カードリーダ１００は、磁気センサ１を制御して、妨害磁界と検出用磁界のいずれかを、適宜、選択的に発生させることができる。例えば、カード２がカード挿入口１３０に挿
入される前は、妨害磁界を間歇的に発生させる。そして、妨害磁界を発生させていない間に、適宜、検出用磁界を発生させる。例えば、一定周期で検出用磁界を発生させて異物２００の有無を判定する。また、カード２がカード挿入口１３０に挿入されたことが挿入検知センサおよびプリヘッド１８０によって検出された場合、カードリーダ１００は、カード２がカード搬送路１４０に取り込まれる際、および、カード搬送路１４０からカード２が排出される際には、妨害磁界を連続的に発生させる。そして、カード２から磁気データを読み取る際には、妨害磁界および検出用磁界を発生させないように磁気センサ１を制御する。
【００４８】
（本形態の主な作用効果）
以上のように、実施形態１の磁気センサ１は、スキミングヘッドなどの金属を含む異物２００を被検出体とする。磁気センサ１は、励磁部２０が磁界を発生させたとき、第２コア体５０を通る磁束は、第２コア体５０の第３端面５１０と第４端面５２０の一方から外部へ出て他方へ戻るループ状の経路を通るように構成されている。従って、磁束をループ状の経路に集中させることができ、第２コア体５０の外部へ出る磁束を第３端面５１０と第４端面５２０の間の範囲に集中させることができる。従って、磁束が出る側において、励磁部２０からの距離が離れた影響で異物２００（被検出体）に入る磁束が減少することを抑制できる。また、検出部１０は、励磁部２０から異物２００に入った磁束が第１コア体３０の第１端面３１０と第２端面３２０の一方に入りやすいように構成されている。従って、検出コイル４０の出力に基づいて異物２００の有無を検出でき、その際、励磁部２０と異物２００との距離の影響による検出精度の低下を抑制できる。
【００４９】
具体的には、実施形態１の磁気センサ１では、第２コア体５０がコア本体５３と、コア本体５３から突出する第３コア端部５１と、コア本体５３に対して第３コア端部５１が位置する側に突出する第４コア端部５２を備えている。なお、第３コア端部５１と第４コア端部５２が突出する方向は同一方向でなくても良く、コア本体５３に対して同じ側であればよい。例えば、第３コア端部５１と第４コア端部５２は、第３方向Ｘに対して斜めに突出していてもよい。コア本体５３に対して同じ側に第３コア端部５１と第４コア端部５２が突出していれば、その先端に設けられた第３端面５１０から出た磁束が第４端面５２０に戻りやすい。本形態では、第３端面５１０と第４端面５２０が第３方向Ｘに対して垂直な面であって同一方向を向いているので、第３端面５１０から出た磁束が第４端面５２０に戻りやすい。従って、第２コア体５０を通り、第３端面５１０から出て第４端面５２０に戻るループ状の経路を磁束が通るように構成することができる。なお、第３端面５１０と第４端面５２０は、第３方向Ｘに対して垂直な面でなくても良く、同一方向を向いていなくても良い。
【００５０】
また、実施形態１の磁気センサ１では、検出部１０と励磁部２０は、第１方向Ｚで離間しており、カード搬送路１４０を挟んで第１方向Ｚで対向する。そして、第１端面３１０と第２端面３２０は、第１方向Ｚの他方側Ｚ２（すなわち、励磁部２０が位置する側）を向いている。従って、励磁部２０から発生する磁束が異物２００へ向かった場合に、第１端面３１０から第１コア体３０に磁束が入りやすく、第２端面３２０および第４端面５２０を経由して第２コア体５０へ磁束が戻りやすい。従って、検出精度を高めることができる。なお、検出部１０において、第１端面３１０と第２端面３２０は、第１方向Ｚに対して垂直な面に対して傾いていてもよい。また、第１コア端部３１と第２コア端部の突出方向は、第１方向Ｚに対して傾いていてもよい。
【００５１】
更に、実施形態１の磁気センサ１では、励磁部２０の第３端面５１０と第４端面５２０、および検出部１０の第１端面３１０と第２端面３２０は、いずれも第２方向Ｙで離間し、同一間隔で配置されている。従って、第３端面５１０と第４端面５２０の一方から出る磁束の一部が異物２００に向かったとき、その磁束が第１端面３１０と第２端面３２０の
一方から第１コア体３０に入りやすく、他方から第２コア体５０に戻りやすい。実施形態１では、第１端面３１０は、第２方向Ｙで第３端面５１０と同一位置に配置され、第２端面３２０は、第２方向Ｙで第４端面５２０と同一位置に配置されているため、第１端面３１０と第３端面５１０、および、第２端面３２０と第４端面５２０がそれぞれ、両端面間の距離が最短となるように配置されている。よって、第３端面５１０から出た磁束が異物２００に入った場合、異物２００から出た磁束が第１端面３１０に入りやすい。従って、検出精度を高めることができる。
【００５２】
なお、第３端面５１０と第４端面５２０の第２方向Ｙの間隔と、第１端面３１０と第２端面３２０の第２方向Ｙの間隔は異なっていてもよい。また、第３端面５１０と第１端面３１０、および、第４端面５２０と第２端面３２０は、第２方向Ｙの位置がずれていてもよい。
【００５３】
実施形態１の磁気センサ１では、第２コア体５０の第３端面５１０と第４端面５２０は、第３方向Ｘの一方側Ｘ１を向いている。従って、検出部１０とは異なる側に磁束を集中させることができるので、検出部１０とは異なる側に位置する異物２００を検出することができる。例えば、実施形態１のカードリーダ１００では、励磁部２０の第３方向Ｘの一方側Ｘ１にカード挿入口１３０が形成されている。従って、カード挿入口１３０の周りに取り付けられた異物２００は励磁部２０の第３方向Ｘの一方側Ｘ１に配置されることになるので、このような位置に取り付けられた異物２００に磁束が入りやすい。従って、このような位置に取り付けられた異物２００を精度良く検出できる。
【００５４】
実施形態１のカードリーダ１００は、第２コア体５０がカード搬送路１４０と平行に配置されている。従って、カード挿入部１２０において第２コア体５０の配置スペースを小さくすることができ、励磁部２０の配置スペースを小さくすることができる。従って、カード挿入部１２０の大型化を抑制でき、カードリーダ１００の大型化を抑制できる。
【００５５】
実施形態１のカードリーダ１００は、磁気センサ１の励磁コイル６０を妨害磁界発生手段として用いることができる。すなわち、励磁コイル６０は、異物２００を検出するための検出用磁界を発生させる検出モード、および、カード２から不正に磁気情報が読み取られることを妨害する妨害磁界を発生させる妨害磁界発生モードの２種類のモードで選択的に通電される。従って、磁気センサ１と妨害磁界発生手段とを１つのコイルで兼用できるため、それぞれ別のコイルを設ける必要がない。よって、カードリーダ１００の大型化を抑制できる。また、スキミングヘッドなどの異物２００の検出によって不正行為を抑制する以外に、妨害磁界によっても不正行為を抑制できるため、不正行為を効果的に抑制できる。
【００５６】
（変形例）
図５（ａ）は、変形例の磁気センサ１Ａにおける励磁部２０Ａおよび検出部１０の正面図であり、図５（ｂ）は側面図である。実施形態１では、第２コア体５０がカード搬送路１４０と平行に配置されていたが、第２コア体５０は、カード搬送路１４０に対して傾いていてもよい。例えば、図５に示すように、変形例の励磁部２０Ａは、カード搬送路１４０に対して第２コア体５０が垂直に配置されている。従って、第３端面５１０は、カード搬送路１４０を挟んで第１端面３１０と第１方向Ｚで対向する。また、第４端面５２０は、カード搬送路１４０を挟んで第２端面３２０と第１方向Ｚで対向する。このような形態であっても、第３端面５１０から出て第４端面５２０に戻る磁束は、第２コア体５０に対して第３方向Ｘの一方側Ｘ１にも広がるため、第２コア体５０に対して第３方向Ｘの一方側Ｘ１に位置する異物２００に磁束が入り、第１コア体３０に入る磁束が変化する。従って、検出コイル４０の出力に基づき、異物２００の有無を検出できる。
【００５７】
［実施形態２］
図６は実施形態２の磁気センサ１Ｂにおける励磁部２０および検出部１０Ｂの正面図である。実施形態２の磁気センサ１Ｂは、検出部１０Ｂの構成が実施形態１と異なっており、励磁部２０の構成は実施形態１と同一である。検出部１０Ｂは、第１コア体３０Ｂと、検出コイル４０Ｂを備える。第１コア体３０Ｂは、第１コア端部３１および第２コア端部３２に加えて、第５コア端部３４を備える。第５コア端部３４は、第１コア端部３１の近傍に配置され、第１コア端部３１と平行に突出する。第５コア端部３４の先端には、第５端面３４０が形成されている。検出コイル４０Ｂは、第１コア端部３１に巻回される第１検出コイル４１と、第５コア端部３４に巻回される第２検出コイル４２を備える。
【００５８】
第１検出コイル４１および第２検出コイル４２の出力は、検出回路１１Ｂに入力される。検出回路１１Ｂは、第１検出コイル４１および第２検出コイル４２の差動出力を求め、差動出力から出力信号を得るように構成されている。実施形態２では、異物２００に向かった磁束が入る端面として、第１端面３１０および第５端面３４０が設けられている。従って、第１コア端部３１に巻回される第１検出コイル４１と、第５コア端部３４に巻回される第２検出コイル４２の差動出力を求めることにより、異物２００が取り付けられた場合の出力の変化を増幅して取り出すことができる。従って、検出精度を高めることができる。
【００５９】
ここで、スキミングヘッドが取り付けられる位置は、第２方向Ｙでカード２の磁気ストライプ２ａが通過する位置である場合が多い。磁気ストライプ２ａが通過する位置には磁気ヘッド１７０が配置されている。従って、スキミングヘッドなどの異物２００の検出効果を高めるためには、第２方向で磁気ヘッド１７０と同じ位置において検出効果を高めるように、検出部１０Ｂを構成することが好ましい。例えば、実施形態２では、第１コア端部３１と第５コア端部３４の第２方向の中間点Ｐ１に異物２００が配置されたときに差動出力が最も大きいため、検出精度が高い。従って、中間点Ｐ１の第２方向Ｙの位置が磁気ヘッド１７０の第２方向Ｙの位置と一致するように、第１コア端部３１と第５コア端部３４が配置されていることが好ましい。
【００６０】
また、実施形態２では、異物２００の第２方向Ｙの位置に応じて差動出力が変動する。従って、検出部１０Ｂの出力信号に基づいて異物２００の位置を判定することもできる。
【００６１】
なお、第１コア体３０Ｂにおいて、第１コア端部３１と第５コア端部３４は第２方向Ｙで分離した形態であるが、第１コア端部３１と第５コア端部３４はコア本体３３に接続される部位が一体に形成されていてもよく、第１端面３１０と第５端面３４０が形成される先端側だけが２本に分岐した形状であってもよい。
【００６２】
［実施形態３］
図７（ａ）は実施形態３の磁気センサ１Ｃにおける励磁部２０Ｃの平面図であり、図７（ｂ）は励磁部２０Ｃおよび検出部１０の正面図である。実施形態３の磁気センサ１Ｃにおいて、励磁部２０Ｃは、第２コア体５０Ｃおよび励磁コイル６０Ｃを備える。第２コア体５０Ｃは、磁束が出る端面と、磁束が入る端面の対を複数備える。実施形態３では、第２コア体５０Ｃは、第３端面５１０を含む複数の端面を備えるとともに、第４端面５２０を含む複数の端面を備える。第３端面５１０を含む複数の端面は、それぞれ、第４端面５２０を含む複数の端面のうちの１つと対になっており、対になる２つの端面は、その一方から出る磁束が他方に入るように構成されている。
【００６３】
第２コア体５０Ｃは、第３端面５１０および第４端面５２０と、第６端面５４０および第７端面５５０の２組の端面を備える。これら２組の端面は、それぞれ、２つの端面が対になっている。第３端面５１０は第３コア端部５１の先端に形成され、第４端面５２０は
第４コア端部５２の先端に形成され、第６端面５４０は第６コア端部５４の先端に形成され、第７端面５５０は第７コア端部５５の先端に形成されている。励磁コイル６０Ｃは、第３コア端部５１に巻かれる第１励磁コイル６１Ｃと、第４コア端部５２に巻かれる第２励磁コイル６２Ｃと、第６コア端部５４に巻かれる第３励磁コイル６３Ｃと、第７コア端部５５に巻かれる第４励磁コイル６４Ｃを備える。これらの４本の励磁コイル６０Ｃは、第１励磁コイル６１Ｃと第２励磁コイル６２Ｃが逆向きに巻かれており、同期して通電される。また、第３励磁コイル６３Ｃと第４励磁コイル６４Ｃが逆向きに巻かれており、同期して通電される。
【００６４】
図７（ａ）に示すように、第３コア端部５１、第６コア端部５４、第４コア端部５２、および第７コア端部５５は、この順で第２方向Ｙに配列されている。励磁部２０Ｃは、第１励磁コイル６１Ｃと第２励磁コイル６２Ｃへの通電により、第３端面５１０と第４端面５２０の一方から出て他方へ入るループ状の経路を通る磁束ＭＣ１が生じる。また、第３励磁コイル６３Ｃと第４励磁コイル６４Ｃへの通電により、第６端面５４０と第７端面５５０の一方から出て他方へ入る別のループ状の経路を通る磁束ＭＣ２が生じる。つまり、第２コア体５０Ｃは、４本のコア端部から、１本置きに磁束ＭＣ１、ＭＣ２が飛ぶような２つのループ状の経路を構成する。励磁部２０Ｃが発生させる磁界は、第１励磁コイル６１Ｃと第２励磁コイル６２Ｃへの通電により発生する磁界と、第３励磁コイル６３Ｃと第４励磁コイル６４Ｃへの通電により発生する磁界の合成磁界となる。
【００６５】
図７（ｂ）に示すように、実施形態３の磁気センサ１Ｃでは、検出部１０は、第１端面３１０の第２方向Ｙの位置が、第３端面５１０と第６端面５４０の第２方向Ｙの中間点Ｐ２と一致し、且つ、第２端面３２０の第２方向Ｙの位置が、第４端面５２０と第７端面５５０の中間点Ｐ３と一致するように第１コア体３０が配置されている。つまり、実施形態３では、第３端面５１０を含む複数の端面が配置される第２方向Ｙの範囲の中央、および、第４端面５２０を含む複数の端面が配置される第２方向Ｙの範囲の中央の２箇所のうち、一方に第１端面３１０を向けると共に、他方に第２端面３２０を向けるように第１コア体３０が配置されている。このようにすると、励磁部２０Ｃが発生させる合成磁界において、磁界が強い位置に第１端面３１０と第２端面３２０を向けることができる。よって、異物２００を経由して検出部１０に入る磁束を増やすことができるので、検出精度を高めることができる。
【００６６】
ここで、中間点Ｐ２、Ｐ３のいずれか一方の位置が、カード２の磁気ストライプ２ａが通る位置、すなわち、第２方向Ｙで磁気ヘッド１７０が配置される位置と一致する場合には、この位置にスキミングヘッドなどの異物２００が取り付けられる可能性がある。従って、この場合には、異物２００の検出効果を高めることができる。
【００６７】
また、実施形態３では、第１励磁コイル６１Ｃと第２励磁コイル６２Ｃ、および、第３励磁コイル６３Ｃと第４励磁コイル６４Ｃへの通電を別の通電パターンで行うことができる。従って、励磁部２０Ｃを妨害磁界発生手段として用いる場合には、第１励磁コイル６１Ｃと第２励磁コイル６２Ｃによって発生させる妨害磁界と、第３励磁コイル６３Ｃと第４励磁コイル６４Ｃによって発生させる妨害磁界を異なるパターンで発生させることにより、不正な磁気情報の読取りを効果的に妨害することができる。
【００６８】
（実施形態３の変形例）
実施形態３において、励磁部２０Ｃを構成する第２コア体５０Ｃが、磁束が出る端面と磁束が入る端面の組を３組以上備える構成を採用してもよい。すなわち、第２コア体５０Ｃにコア端部を６本以上の偶数本設け、これらを２本ずつ対にして、対にしたコア端部には逆向きに励磁コイルを巻いて同期して通電することにより、対応する端面の間で磁束が飛ぶように構成することができる。この場合においても、磁束が出る複数の端面が配置さ
れる第２方向Ｙの範囲の中央、および、磁束が入る複数の端面が配置される第２方向Ｙの範囲の中央の２箇所のうちの一方に第１端面３１０を向けると共に、他方に第２端面３２０を向けるように構成することが好ましい。
【００６９】
［実施形態４］
図８は実施形態４の磁気センサ１Ｄを備えたカードリーダ１００Ｄの断面構成を示す説明図である。実施形態４の磁気センサ１Ｄは、検出部１０Ｄおよび励磁部２０Ｄを備える。検出部１０Ｄは、第１コア体３０の向きが実施形態１とは異なる。また、励磁部２０Ｄは、第２コア体５０の向きが実施形態１とは異なる。他の構成は、実施形態１と同様である。
【００７０】
実施形態４では、第１コア体３０は、カード搬送路１４０の第１方向Ｚの一方側Ｚ１において、カード搬送路１４０に対して傾斜して配置されている。また、第２コア体５０は、カード搬送路１４０の第１方向Ｚの他方側Ｚ２において、カード搬送路１４０に対して第１コア体３０とは逆向きに傾斜して配置されている。第１コア体３０は、第１端面３１０と第２端面３２０がカード挿入口１３０の側を向いており、第２コア体５０は、第３端面５１０と第４端面５２０がカード挿入口１３０の側を向いている。
【００７１】
言い換えると、第１コア体３０は、第１端面３１０および第２端面３２０をカード挿入口１３０の側に向けて、カード挿入口１３０の側（第３方向Ｘの一方側Ｘ１）に向かうに従ってカード搬送路１４０に対して近づく方向に傾斜して配置されている。また、第２コア体５０は、第３端面５１０および第４端面５２０をカード挿入口１３０の側に向けて、カード挿入口１３０の側（第３方向Ｘの一方側Ｘ１）に向かうに従ってカード搬送路１４０に対して第１コア体３０Ｄとは逆方向から近づく方向に傾斜して配置されている。
【００７２】
実施形態４では、励磁部２０Ｄは、カード挿入口１３０の周りに磁界を発生させることができる。特に、実施形態１では、カード挿入口１３０に対して励磁部２０が位置する側（第１方向Ｚの他方側Ｚ２）に磁束が偏っているのに対して、実施形態４では、カード挿入口１３０の正面に磁束を飛ばすことができる。従って、カード搬送路１４０を挟んで励磁部２０Ｄと検出部１０Ｄを配置した構成でありながら、カード挿入口１３０の周りにスキミングヘッドなどの異物２００取り付けられた場合に精度良く検出することができる。
【符号の説明】
【００７３】
１、１Ａ、１Ｂ、１Ｃ、１Ｄ…磁気センサ、２…カード、２ａ…磁気ストライプ、１０、１０Ｂ、１０Ｄ…検出部、１１、１１Ｂ…検出回路、１２…増幅回路、１３…整流回路、１４…ローパスフィルタ、２０、２０Ａ、２０Ｃ、２０Ｄ…励磁部、２１…通電制御部、３０、３０Ｂ…第１コア体、３１…第１コア端部、３２…第２コア端部、３３…コア本体、３４…第５コア端部、４０、４０Ｂ…検出コイル、４１…第１検出コイル、４２…第２検出コイル、５０、５０Ｃ…第２コア体、５１…第３コア端部、５２…第４コア端部、５３…コア本体、５４…第６コア端部、５５…第７コア端部、６０、６０Ｃ…励磁コイル、６１、６１Ｃ…第１励磁コイル、６２、６２Ｃ…第２励磁コイル、６３Ｃ…第３励磁コイル、６４Ｃ…第４励磁コイル、１００、１００Ｄ…カードリーダ、１１０…カードリーダ本体、１２０…カード挿入部、１３０…カード挿入口、１４０…カード搬送路、１５０…シャッター、１６０…カード搬送機構、１６１…駆動ローラ、１６２…パッドローラ、１７０…磁気ヘッド、１８０…プリヘッド、２００…異物、３１０…第１端面、３２０…第２端面、３４０…第５端面、５１０…第３端面、５２０…第４端面、５４０…第６端面、５５０…第７端面、Ｍ、Ｍ１、ＭＣ１、ＭＣ２…磁束、Ｐ１、Ｐ２、Ｐ３…中間点、Ｘ…第３方向、Ｙ…第２方向、Ｚ…第１方向
【図１】
2019060698.tif 000003
【図２】
2019060698.tif 000004
【図３】
2019060698.tif 000005
【図４】
2019060698.tif 000006
【図５】
2019060698.tif 000007
【図６】
2019060698.tif 000008
【図７】
2019060698.tif 000009
【図８】
2019060698.tif 000010